(57)【要約】      （修正有）【課題】筆記用具を載置するための位置を自由に変えることができる上に、保持された状態のままでも筆記に供することができ、且つ製造が簡易な筆記用具保持具を提供する。【解決手段】第１の面１１とその反対面である第２の面１３とを有する据付部材１と、据付部材１の第１の面１１に固定されており、筆記用具をその弾性により把持できる弾性部材３１と、据付部材１の第２の面１３に固定されており、磁力を有する磁性部材２とを備える。【選択図】図１
0003182325.tif 000002
【実用新案登録請求の範囲】
【請求項１】
第１の面と、前記第１の面の反対面である第２の面とを有する据付部材と、
前記据付部材の前記第１の面に固定されており、筆記用具をその弾性により把持可能な弾性部材と、
前記据付部材の前記第２の面に固定されており、磁力を有する磁性部材と
を備えていることを特徴とする筆記用具保持具。
【請求項２】
前記弾性部材はコイルバネであり、環状になっている上、その内側に筆記用具が挿入されて把持されるための把持空間が形成されるように曲げられていることを特徴とする請求項１に記載の筆記用具保持具。
【請求項３】
前記据付部材の前記第２の面には凹所が設けられており、前記磁性部材は前記凹所に嵌め込まれ装着されていることを特徴とする請求項１又は２に記載の筆記用具保持具。
【請求項４】
前記据付部材には、それぞれ前記第１の面と前記第２の面とを貫通し前記凹所に連通している２つの貫通孔が形成されており、
各前記貫通孔には、断面が略Ｕ字状とされる連結部材の両端部が、前記第１の面側から挿し込まれるように固定されており、
前記連結部材の前記両端部の間に位置する中間部には、前記弾性部材の両端が引っ掛けられるように固定されていることを特徴とする請求項１〜３のいずれか一項に記載の筆記用具保持具。
【請求項５】
前記連結部材の前記両端部は、各前記貫通孔に前記第１の面側から挿入されていて且つ前記第２の面側に突起している２つの挿入部分と、各前記挿入部分の前記第２の面から突起した端から互いに対向して延伸しており且つそれぞれ前記第２の面に当接している２つの当接部分を有しており、
前記連結部材の前記中間部は、断面略Ｕ字状で、前記弾性部材の前記両端が引っ掛けられて固定されている連結部分と、前記第１の面にそれぞれ当接しており且つそれぞれ前記連結部分の両側と各前記挿入部分の間を繋いでいる２つの定位部分とを有しており、
且つ、断面略Ｕ字状の前記連結部分は、前記第１の面から離れる方向に前記定位部分に対して凹陥しており、前記凹陥により前記連結部分と前記第１の面の間に画成された収容空間には前記弾性部材の前記両端の一部が収容されていることを特徴とする請求項４に記載の筆記用具保持具。
【請求項６】
前記据付部材の前記凹所は、前記第２の面が前記第１の面側に向かって凹陥してなった第１の陥没面を有する第１の凹部と、前記第１の陥没面から前記第１の面側に向かってさらに凹陥してなった第２の陥没面を有する第２の凹部とを備えており、
前記磁性部材は、前記第１の凹部に嵌め込まれ装着されており、
前記連結部材の各前記挿入部分における前記第２の面側に突起した部分及び各前記当接部分は、前記第２の凹部に収容されていることを特徴とする請求項５に記載の筆記用具保持具。
【考案の詳細な説明】
【技術分野】
【０００１】
本考案は、保持具に関し、特に筆記用具を保持するための保持具に関する。
【背景技術】
【０００２】
一般に、例えばボールペンのような筆記用具を保持するための保持具は、上向きに開いた凹所を備えており、筆記用具は、当該凹所に挿し込むことによって保持される。また、このような保持具は、一般に、例えば机上や壁面に粘着及び固定されている。使用者は、使い終わった筆記用具をペン先の方から当該凹所に挿入することによって、当該筆記用具を所定の位置に戻すことができる。しかし、このような保持具は、上述のように別体に固定されているので、筆記用具を載置するための位置も必然的に定められ、使用者が不便を感じる場合もあった。
【０００３】
そこで、本願考案者は、図６に表わす筆記用具保持手段を備えた携行可能なクリップボードを既に考案した（特許文献１参照）。このクリップボードは、台板９１と、その表面の一端に設けられているクリップ９２と、ペン把持部９３とから成る。ペン把持部９３は、台板９１に固定されている固定片９３１と、一端が固定片９３１に連結されていると共に他端が自由端となっている把持片９３２とを有しており、固定片９３１と把持片９３２との間に筆記用具を挿入することによって、筆記用具が固定片９３１と把持片９３２との間に挟持されるようになっている。
【先行技術文献】
【特許文献】
【０００４】
【特許文献１】台湾登録実用新案第Ｍ３６５２６４号公報
【考案の概要】
【考案が解決しようとする課題】
【０００５】
しかしながら、上述のようなペン把持部９３は、組立製造時に手間を要するのみならず、依然として筆記用具を載置するための位置が固定されてしまうので、筆記用具を載置するための位置も限定的となり、この点に関して使用者が不便を感じるという問題点も依然解消されていなかった。
【０００６】
また、保持具が固定されているので、筆記用具を使用する際及び使用後に元に戻す際には、必ず筆記用具を保持具から抜き差しする必要があり、この点も、使用者が不便を感じる問題点であった。
【０００７】
そこで、本考案の目的は、これら問題点を解消するために、筆記用具を載置するための位置を自由に変更可能な上に、保持状態のままであっても筆記に供することができ、且つ、製造が簡易な筆記用具保持具を提供することである。
【課題を解決するための手段】
【０００８】
上記目的を達成するために、本考案は、
第１の面と、当該第１の面の反対面である第２の面とを有する据付部材と、前記据付部材の前記第１の面に固定されており、筆記用具をその弾性により把持できる弾性部材と、前記据付部材の前記第２の面に固定されており、磁力を有する磁性部材とを備えていることを特徴とする筆記用具保持具を提供する。
【０００９】
上記筆記用具保持具においては、前記弾性部材がコイルバネであり、環状になっている上、その内側に筆記用具が挿入されて把持されるための把持空間が形成されるように曲げられていることが好ましい。
【００１０】
また、前記据付部材１の前記第２の面には凹所が設けられており、前記磁性部材は当該凹所に嵌め込まれ装着されていることが好ましい。
【００１１】
さらに、前記据付部材には、それぞれ前記第１の面と前記第２の面とを貫通し前記凹所に連通している２つの貫通孔が形成されており、各前記貫通孔には、断面略Ｕ字状の連結部材３２が、その両端部が前記第１の面側から挿し込まれるように固定されており、前記連結部材の前記両端部の間に位置する中間部には、前記弾性部材の両端が引っ掛けられるように固定されていることが好ましい。
【００１２】
なお、前記連結部材の前記両端部は、各前記貫通孔に前記第１の面側から挿入されていて且つ前記第２の面側に突起している２つの挿入部分と、各当該挿入部分の前記第２の面から突起した端から互いに対向して延伸しており且つそれぞれ前記第２の面に当接している２つの当接部分を有しており、前記連結部材の前記中間部は、断面略Ｕ字状で、前記弾性部材の前記両端が引っ掛けられて固定されている連結部分と、前記第１の面にそれぞれ当接しており且つそれぞれ前記連結部分の両側と各前記挿入部分の間を繋いでいる２つの定位部分とを有しており、且つ、断面略Ｕ字状の前記連結部分は、前記第１の面から離れる方向に前記定位部分に対して凹陥しており、当該凹陥により前記連結部分と前記第１の面の間に画成された収容空間には前記弾性部材の前記両端の一部が収容されていることが好ましい。
【００１３】
また、前記据付部材の前記凹所は、前記第２の面が前記第１の面側に向かって凹陥してなった第１の陥没面を有する第１の凹部と、当該第１の陥没面から前記第１の面側に向かってさらに凹陥してなった第２の陥没面を有する第２の凹部とを備えており、前記磁性部材は、前記第１の凹部に嵌め込まれ装着されており、前記連結部材の各前記挿入部分における前記第２の面側に突起した部分及び各前記当接部分は、前記第２の凹部に収容されていることが好ましい。
【考案の効果】
【００１４】
上記構成によれば、弾性部材により筆記用具を把持できる上に、さらに磁性部材が設けられているので、磁性を有する所望の場所に当該筆記用具保持具を着脱自在に固定させることができる。よって、筆記用具を載置するための位置を自由に変えることができる上に、当該保持具により保持された状態のままで筆記用具を筆記に使用することができる。
【図面の簡単な説明】
【００１５】
【図１】本考案の好ましい実施形態に係る筆記用具保持具を表わす斜視図である。
【図２】上記筆記用具保持具の構造を表わす横断面図である。
【図３】上記筆記用具保持具の構造を表わす分解横断面図である。
【図４】上記筆記用具保持具の使用状態を表わす側視図である。
【図５】上記筆記用具保持具の使用状態を表わす側視図である。
【図６】従来例の筆記用具保持具を表わす斜視図である。
【考案を実施するための形態】
【００１６】
添付図面を参照しつつ、本考案の具体的な実施形態を以下に詳述する。
【００１７】
図１〜図５は、本考案に係る筆記用具保持具の好ましい実施形態を表わす。図４に表わすように、本考案に係る筆記用具保持具は、以下に詳述する弾性部材３１を備えていることによって、例えばボールペンのような筆記用具８を保持可能とすると共に、以下に詳述する磁性部材２を備えていることによって、例えば磁性を帯びた物体７に磁力を介して着脱自在に固定可能とする。なお、物体７として、例えばクリップボード、バインダー、壁面やデスクの一面などが挙げられるが、磁性さえ帯びていれば、使用者が筆記用具保持具の固定を希望する如何なる物体であっても良い。
【００１８】
本考案に係る筆記用具保持具は、据付部材１と、据付部材１に固設されていると共に磁力を有する磁性部材２と、据付部材１に固設されていると共にその弾性によって筆記用具を把持可能な弾性部材３１とを備えている。
【００１９】
据付部材１は、本実施形態では円盤状に形成されており、弾性部材３１が固定されている第１の面１１と、第１の面の反対面であると共に磁性部材２が固定されている第２の面１３とを有している。なお、第２の面１３には、第２の面１３側から第１の面１１側に向かって窪んでいる凹所１２が形成されており、磁性部材２は、凹所１２に嵌め込まれ装着されている。また、据付部材１には、２つの貫通孔１４それぞれが、第１の面１１と第２の面１３とを貫通し凹所１２に連通して形成されている。
【００２０】
第１の面１１は、第１の面１１の中心側に位置している中心面部１１１と、中心面部１１１を周回する凹面部１１２とを有しており、中心面部１１１には、貫通孔１４が形成されており、凹面部１１２は、第１の面１１から第２の面１３に向かう方向に窪んで形成されている。さらに、凹面部１１２が窪んでいることによって、環状溝１１３が、中心面部１１１の周囲に形成されている。
【００２１】
第２の面１３の凹所１２は、第２の面１３から第１の面側１１に向かう方向に窪んで形成されている第１の陥没面１３１を具備する第１の凹部１２１と、第１の陥没面１３１から第１の面１１に向かう方向にさらに窪んで形成されている第２の陥没面１３２を具備する第２の凹部１２２とを備えている。さらに、第２の凹部１２２は貫通孔１４に連通している。なお、図３に表わすように、据付部材１においては、第１の面１１側と第２の面１３側とにおいて表裏の関係となるように、凹面部１１２と第１の陥没面１３１との位置が、及び、中心面部１１１と第２の陥没面１３２との位置がそれぞれ対応している。
【００２２】
本実施形態では、磁性部材２は、据付部材１の凹所１２の形状に適合するように円盤状に形成されており、凹所１２の第１の凹部１２１に嵌め込まれている。また、磁性部材２は、磁石２１と、磁石２１の一面に設けられている粘着手段２２とから成り、磁性部材２は、粘着手段２２によって凹所１２の第１の陥没面１３１に貼り付けられている。
【００２３】
なお、本実施形態では、磁性部材２として磁石２１を、及び、粘着手段２２として接着剤を利用するが、これに限定される訳ではなく、粘着手段２２として、例えば両面テープを用いても良い。また、磁性部材２と第１の凹部１２１との大きさを一致させ、磁性部材２が第１の凹部１２１から脱落しないように緊密に嵌め込んでも良く、この場合には粘着手段２２は不要となる。
【００２４】
本実施形態では、弾性部材３１は、環状に延在しているコイルバネであり、その環の内側に筆記用具を挿入及び把持するための把持空間３１２が形成されるように湾曲しており、以下に詳述する連結部材３２によって据付部材１の第１の面１１側に固定されている。好ましくは、把持空間３１２は、例えばボールペンのような一般的な筆記用具の平均的な直径より小さく形成されている。
【００２５】
連結部材３２は、図２及び図３に表わすように、略Ｕ字状の断面を有しており、連結部材３２の両端部３２ａそれぞれが、第１の面１１側から据付部材１の貫通孔１４それぞれに挿し込まれることによって固定されている。また、弾性部材３１の両端３１３が、両端部３２ａの間に位置する中間部３２ｂに係止されることによって固定されている。
【００２６】
本実施形態では、連結部材３２の両端部３２ａは、左右２つの挿入部分３２１と２つの当接部分３２２とを有しており、左右２つの挿入部分３２１は、第１の面１１側から貫通孔１４それぞれに挿入され、第２の面１３に向かって突出しており、当接部分３２２は、第２の面１３から突出している挿入部分３２１それぞれの端部を対向して延在するように、すなわち接近するように折り曲げることによって、第２の面１３に当接している。
【００２７】
また、中間部３２ｂは、断面が略Ｕ字状とされると共に、弾性部材３１の両端３１３が係止されることによって固定されている連結部分３２４と、それぞれが第１の面１１に当接していると共に、連結部分３２４の左右両側と両端部３２ａの挿入部分３２１それぞれとの間を連結している２つの定位部分３２６とを有している。
【００２８】
なお、第２の面１３側に突出している挿入部分３２１の部分それぞれと当接部分３２２それぞれとが、第２の面１３側において凹所１２の第２の凹部１２２に収容されている。
【００２９】
また、本実施形態では、図２及び図３に表わすように、連結部材３２の中間部３２ｂにおける、断面が略Ｕ字状とされる連結部分３２４は、第１の面１１から離隔する方向に、言い換えれば弾性部材３１に向かう方向に定位部分３２６に対して窪んでおり、このような窪みによって、連結部材３２の連結部分３２４と据付部材１の第１の面１１との間に収容空間３２５（図２参照）が形成されている。収容空間３２５には、弾性部材２１の両端３１３の一部分、言い換えれば両端３１３における連結部分３２４に係止されている部分が収容されている。
【００３０】
なお、本考案に係る筆記用具保持具を組み立てる前には、上述した連結部材３２における両端部３２ａそれぞれの当接部分３２２及び挿入部分３２１は、図３に破線で示されているように直線状に延在しており、当接部分３２２は、連結部材３２を介して弾性部材３１を据付部材１に固定した後に上述のような形状に折り曲げられる。本考案に係る筆記用具保持具の組立手順について、以下に説明する。
【００３１】
最初に、環状に曲げられた弾性部材３１の両端３１３それぞれに連結部材３２を通した後に、両端３１３が連結部材３２の連結部分３２４の位置に来るようにする。その後に、連結部材３２の各当接部分３２２を据付部材１の各貫通孔１４に挿入し、連結部材３２の各定位部分３２６を据付部材１の第１の面１１に当接させると共に、連結部材３２の各当接部分３２２を第２の面１３側に突出させる。
【００３２】
次に、各貫通孔１４を通じて第２の面１３側に突出された各当接部分３２２それぞれを、互いに対向するように内側に向かって折り曲げることによって、各当接部分３２２を据付部材１の第２の面１３の一部である第２の陥没面１３２に当接させる。これにより連結部材３２は、弾性部材３１を係止した状態で据付部材１に固定されるので、弾性部材３１が、連結部材３２を介して据付部材１に固定される。最後に、磁石２１を据付部材１の凹所１２に嵌め込み、粘着手段２２によって固定することによって、組立作業は完了する。このように、本考案に係る筆記用具保持具は製造時の組み立てが容易である。
【００３３】
本考案に係る筆記用具保持具を使用する際には、図１及び図４に表わすように、保持させたい筆記用具８を弾性部材３１の内側に形成された把持空間３１２に挿入すれば良い。これにより、筆記用具８の挿入によって把持空間３１２が押し広げられること、言い換えれば弾性部材３１が伸長されることに起因して発生する弾性部材３１の復元力によって、筆記用具８が挟持される。この際、弾性部材３１が伸縮可能とされるので、保持したい筆記用具８の直径が如何なる大きさであっても、支障なく保持可能とされる。
【００３４】
また、据付部材１の第２の面１３に磁性部材２が設けられているので、筆記用具８を例えば壁面のような物体７に固定させたい場合には、磁性を有する所望の場所に接触させることによって、図４に表わすように固定させることができる。これにより、筆記用具を載置するための位置を自由に変更することができる。
【００３５】
一方、筆記用具８を使用する場合には、例えば図４に表わす状態において、物体７から離隔する方向に斜めに（図４における方向６）筆記用具８を引き上げることによって、筆記用具保持具に筆記用具８を保持した状態を維持しつつ、物体７から離すことができる。例えば図５に表わすように、筆記用具保持具を筆記用具８に装着した状態において筆記用具８で筆記することができる。言い換えれば、本考案に係る筆記用具保持具では、従来のように筆記する度に筆記用具を保持具から取り外したり、毎回の使用後に再び保持具に挿し戻したりする手間を省くことができる。言うまでもなく、筆記用具を本考案に係る筆記用具保持具から取り外したい場合には、筆記用具８を把持空間３１２から抜き取ることによって容易に取り外すこともできる。
【００３６】
以上、本考案の好ましい実施形態を説明したが、本考案はこれに限定されるものではなく、その要旨を逸脱しない範囲で種々変更可能であることはいうまでもない。例えば、上記の実施形態では、弾性部材３１としてコイルバネを用いたが、これに限らず、例えばゴムやゴムひも等でも構わず、要は弾性を有して伸縮できるものであればよい。
【符号の説明】
【００３７】
１    据付部材
１１    第１の面
１１１    中心面部
１１２    凹面部
１１３    環状溝
１２    凹所
１２１    第１の凹部
１２２    第２の凹部
１３    第２の面
１３１    第１の陥没面
１３２    第２の陥没面
１４    貫通孔
２    磁性部材
２１    磁石
２２    粘着手段
３１    弾性部材
３１２    把持空間
３１３    両端
３２    連結部材
３２ａ  両端部
３２１    挿入部分
３２２    当接部分
３２ｂ  中間部
３２４    連結部分
３２５    収容空間
３２６    定位部分
【図１】
0003182325.tif 000003
【図２】
0003182325.tif 000004
【図３】
0003182325.tif 000005
【図４】
0003182325.tif 000006
【図５】
0003182325.tif 000007
【図６】
0003182325.tif 000008